(57)【要約】【課題】  網体の通風抵抗を低減させる一方、枠体の強度を維持できるフィルタと、同フィルタを備えた空気調和機を提供することを目的とする。【解決手段】  網体５２は、第一縦糸５２１ａ、第二縦糸５２１ｂと第一横糸５２２ａ、第二横糸５２２ｂとを交互に織り込んで形成されており、第二縦糸５２１ｂは第一縦糸５２１ａより糸径が大きく形成され、第二横糸５２２ｂは第一横糸５２２ａより糸径が大きく形成されており、第二縦糸５２１ａが複数本隣合うように配置された第二縦糸群５２ｂと、第二横糸５２２ｂが複数本隣合うように配置された第二横糸群５２ｃが複数設けられている。【選択図】図３
2012077926.tif 000002
【特許請求の範囲】
【請求項１】
枠体と、同枠体内に糸を交差させて張設される網体とからなるフィルタにおいて、
前記糸の一方が第一糸よりなり、前記糸の他方が、第一糸と、同第一糸より糸径の大きい第二糸よりなるとともに、前記第一糸の間に、前記第二糸が複数本隣合うように配置された第二糸群を少なくとも一つ設けたことを特徴とするフィルタ。
【請求項２】
前記糸の一方において、前記第一糸に代えて、第三糸と、同第三糸より糸径の大きい第四糸よりなるとともに、前記第三糸の間に、前記第四糸が複数本隣合うように配置された第四糸群を少なくとも一つ設けたことを特徴とする請求項１に記載のフィルタ。
【請求項３】
前記一方の糸と、前記他方の糸とが溶着されてなることを特徴とする請求項１または請求項２に記載のフィルタ。
【請求項４】
枠体と、同枠体内に糸を交差させて張設されるとともに、前記枠体と同枠体内に設けられたリブにより複数に区画されたフィルタにおいて、
少なくとも一つの前記区画において、前記糸の一方が第一糸よりなり、前記糸の他方が第一糸と、同第一糸より糸径の大きい第二糸よりなるとともに、前記第一糸の間に、前記第二糸が複数本隣合うように配置された第二糸群を少なくとも一つ設けたことを特徴とするフィルタ。
【請求項５】
前記区画中の前記糸の一方において、前記第一糸に代えて、第三糸と、同第三糸より糸径の大きい第四糸よりなり、前記第三糸の間に前記第四糸が複数本隣合うように配置された第四糸群を少なくとも一つ設けたことを特徴と請求項４に記載のフィルタ。
【請求項６】
前記交差する一方の糸と、前記他方の糸とが溶着されてなることを特徴とする請求項４または請求項５に記載のフィルタ。
【請求項７】
枠体と、同枠体内に縦糸と横糸とを織り込んで張設される網体とからなるフィルタにおいて、
前記横糸が、第一横糸と、同第一横糸より糸径の大きい第二横糸とからなり、前記縦糸が第一縦糸と、同第一縦糸より糸径の大きい第二縦糸とからなり、前記第一横糸の間に、前記第二横糸が複数本隣合うように配置された第二横糸群を少なくとも一つ設け、前記第一縦糸の間に、前記第二縦糸が複数本隣合うように配置された第二縦糸群を少なくとも一つ設けたことを特徴としてなるフィルタ。
【請求項８】
請求項１から請求項７のいずれかに記載のフィルタを備えたことを特徴とする空気調和機。
【発明の詳細な説明】
【技術分野】
【０００１】
本発明は、フィルタと、同フィルタを備えた空気調和機に関わり、より詳細には、強度を保ちながら縦リブ及び横リブを削減し、通風抵抗を低減する構成に関するものである。
【背景技術】
【０００２】
空気調和機に備えられ、空気中の塵埃を除去するフィルタは、例えば、図５で示すフィルタ２０のように、樹脂材により形成された枠体２０ａと、同枠体２０ａ内に張設された網体２１とからなっている。網体２１は所定の糸径である縦糸と横糸とを織り込んで形成され、空気調和機の通風路内に配置されることで、吸入空気に含有された塵埃を捕獲し、吹出口から吹出される空気を清浄化させている。
【０００３】
フィルタ２０は、網体２１に堆積した塵埃を除去するため定期的に清掃作業を行う必要がある。清掃作業は空気調和機からフィルタ２０を外して行われるが、この際、フィルタ２０に上下方向及び左右方向に荷重が掛かり網体２１に変形あるいは破損が発生する虞がある。
【０００４】
網体２１の変形及び破損を防止するため、枠体２０ａ内には２本の縦リブ２０ｂと２本の横リブ２０ｃとが交差するように設けられ、網体２１は上下及び左右に区画されるようになっており、
これら縦リブ２０ｂ及び横リブ２０ｃにより枠体２０ａは上下及び左右方向に掛かる荷重に対する強度を補強して網体２１の変形あるいは破損を防止するようになっている。
【０００５】
しかしながら、２本の縦リブ２０ｂと２本の横リブ２０ｃを設けることにより、網体２１の開口面積が減少してしまうとフィルタ２０の通風抵抗が増すことになり、空気調和機の送風効率に影響を与える虞があるとともに、縦リブ２０ｂと横リブ２０ｃにより空気の流れに乱れが生じて騒音を発生させるというような不具合もあり、対策が望まれていた。
【先行技術文献】
【特許文献】
【０００６】
【特許文献１】特開２００８−１１６０８９号（４頁、図２）
【発明の概要】
【発明が解決しようとする課題】
【０００７】
本発明は、上記問題点に鑑み、縦リブ及び横リブをなくすか、あるいは最小限の本数として網体の通風抵抗を低減させる一方、枠体の強度を維持できるフィルタと、同フィルタを備えた空気調和機を提供することを目的とする。
【課題を解決するための手段】
【０００８】
本発明は、上記課題を解決するため、枠体と、同枠体内に糸を交差させて張設される網体とからなるフィルタにおいて、前記糸の一方が第一糸よりなり、前記糸の他方が、第一糸と、同第一糸より糸径の大きい第二糸よりなるとともに、前記第一糸の間に、前記第二糸が複数本隣合うように配置された第二糸群を少なくとも一つ設けた構成となっている。
【０００９】
また、前記糸の一方において、前記第一糸に代えて、第三糸と、同第三糸より糸径の大きい第四糸よりなるとともに、前記第三糸の間に、前記第四糸が複数本隣合うように配置された第四糸群を少なくとも一つ設けた構成となっている。
【００１０】
また、前記一方の糸と、前記他方の糸とが溶着されてなる構成となっている。
【００１１】
また、枠体と、同枠体内に糸を交差させて張設されるとともに、前記枠体と同枠体内に設けられたリブにより複数に区画されたフィルタにおいて、少なくとも一つの前記区画において、前記糸の一方が第一糸よりなり、前記糸の他方が第一糸と、同第一糸より糸径の大きい第二糸よりなるとともに、前記第一糸の間に、前記第二糸が複数本隣合うように配置された第二糸群を少なくとも一つ設けた構成となっている。
【００１２】
また、前記区画中の前記糸の一方において、前記第一糸に代えて、第三糸と、同第三糸より糸径の大きい第四糸よりなり、前記第三糸の間に前記第四糸が複数本隣合うように配置された第四糸群を少なくとも一つ設けた構成となっている。
【００１３】
また、前記交差する一方の糸と、前記他方の糸とが溶着されてなる構成となっている。
【００１４】
また、枠体と、同枠体内に縦糸と横糸とを織り込んで張設される網体とからなるフィルタにおいて、前記横糸が、第一横糸と、同第一横糸より糸径の大きい第二横糸とからなり、前記縦糸が第一縦糸と、同第一縦糸より糸径の大きい第二縦糸とからなり、前記第一横糸の間に、前記第二横糸が複数本隣合うように配置された第二横糸群を少なくとも一つ設け、前記第一縦糸の間に、前記第二縦糸が複数本隣合うように配置された第二縦糸群を少なくとも一つ設けた構成となっている。
【００１５】
また、上記したいずれかのフィルタを備えた空気調和機となっている。
【発明の効果】
【００１６】
請求項１及び請求項２の発明によれば、枠体に横リブ及び縦リブを設けなくても網体の強度を維持することができ、網体の開口面積が増加しフィルタの通風抵抗を低減させて、空気調和機の送風効率を向上させるようになるとともに、横リブ及び縦リブがある場合に発生する空気の乱れがなくなり、騒音発生を抑制できるようになっている。
【００１７】
請求項３の発明によれば、溶着により糸同士が接合され網体の強度が高められるようになっている。
【００１８】
請求項４及び請求項５の発明によれば、枠体に設ける横リブ及び縦リブが必要な場合であっても、網体は強度を維持することができることにより、横リブ及び縦リブの設置本数を最小限に抑えることができる。これにより網体の開口面積が増加しフィルタの通風抵抗を低減させて、空気調和機の送風効率を向上させるようになるとともに、横リブ及び縦リブによる空気の乱れが減少し、騒音発生を抑制できるようになっている。
【００１９】
請求項６の発明によれば、溶着により糸同士が接合され網体の強度が高められるようになっている。
【００２０】
請求項７の発明によれば、第一横糸の間に、第二横糸が複数本隣合うように配置された第二横糸群を少なくとも一つ設け、前記第一縦糸の間に、前記第二縦糸が複数本隣合うように配置された第二縦糸群を少なくとも一つ設けることにより、枠体に横リブ及び縦リブが不要、または最小限の横リブ及び縦リブの本数でフィルタ強度を維持する一方、通風抵抗を低減できるようになっている。
【００２１】
請求項８の発明によれば、フィルタの通風抵抗を低減させて送風効率を向上させるとともに、横リブあるいは縦リブがないことにより、または、横リブあるいは縦リブの設置本数を最小限に抑えることにより空気の乱れを減少させ、騒音発生を抑制できる空気調和機とできる。
【図面の簡単な説明】
【００２２】
【図１】本発明によるフィルタが使用される空気調和機の断面図である。
【図２】本発明による第一実施例でのフィルタの外観斜視図である。
【図３】本発明によるフィルタの構成を示す説明図である。
【図４】第二実施例によるフィルタの構成を示す説明図である。
【図５】従来のフィルタを示す斜視図である。
【発明を実施するための形態】
【００２３】
以下、本発明の実施の形態を、添付図面に基づいた実施例として詳細に説明する。
【実施例１】
【００２４】
本発明によるフィルタを備えた空気調和機１は、図１の断面図で示すように、前面に前面吸込口２を設けるとともに、前面上部に上面吸込口３を設け、前面下部に吹出口４を設けている。また、同吹出口４の側方には、図示はしていないが、複数のＬＥＤ等からなる表示部と、リモートコントローラからの信号を受信する受信部が設けられ、また、吹出口４には回動自在に枢支された上下風向板９が設けられており、同上下風向板９は運転停止時には、吹出口４を遮蔽するようになっている。
【００２５】
前面吸込口２及び上面吸込口３と吹出口４とを結ぶ通風路には、吸込まれた空気に含有される塵埃を除去する後述するフィルタ５と、平行に並べられたフィンと同フィンに直交するように配設された伝熱管とからなる前方下部熱交換器６ｂと前方上部熱交換器６ａと後方上部熱交換器６ｃとで構成された逆Ｖ字状の熱交換器６と、同熱交換器６で冷媒と熱交換された空気を前記吹出口４から室内に送出する送風ファン７とが設けられている。
【００２６】
また、前方下部熱交換器６ｂの下方には、同前方下部熱交換器６ｂと前方上部熱交換器６ａとから滴下する凝縮水を受ける前部露受皿１０が設けられ、後方上部熱交換器６ｃの下方には、同後方上部熱交換器６ｃから滴下する凝縮水を受ける後部露受皿１１が設けられている。また、送風ファン７と吹出口４とを結ぶ吹出通路には、送出される吹出風を左右方向に偏向させる複数の左右風向板８が設けられ、吹出口４には上記したように、回動自在に軸支された上下風向板９が設けられている。
【００２７】
フィルタ５は、図２に示すように、樹脂材からなり矩形状に形成された枠体５１と、同枠体５１内に張設される網体５２とからなっており、網体５２は、フィルタ５の射出成型時、金型内に網体５２をセットし、閉じた金型に流入した溶融樹脂が固化することにより、所謂、インサート成型によって枠体５１に接合されるようになっている  尚、枠体５１は、例えばＰＰ（ポリプロピレン）からなる柔軟性を有する樹脂材から成型され、網体５２も、例えばＰＰ（ポリプロピレン）からなる糸から構成されている。
【００２８】
次に、網体５２の構成について詳細に説明する。枠体５１と網体５２とからなるフィルタ５は図２及び図３（Ａ）に示すように、網体５２に実線で示す第二縦糸群５２ｂと第二横糸群５２ｃとを複数箇所設けている。第二縦糸群５２ｂと第二横糸群５２ｃが交差する網体部５２ａを示すＡ部は、図３（Ｂ）の拡大図で示すように、第一縦糸５２１ａは糸径ａで形成され、且つピッチＡの間隔で張設されており、同様に第一横糸５２２ａは糸径ａで形成され、且つピッチＡの間隔で張設されている。第二縦糸群５２ｂを構成する複数本の第二縦糸５２１ｂは、糸径ａの１．２倍程度大きい糸径ｂで形成されており、第一縦糸５２１ａと同様にピッチＡの間隔で張設されており、第一縦糸５２１ａ同士の隙間よりは小さいが、第二縦糸５２１ｂ同士の隙間では通風抵抗が少ない状態で空気が流通することができるようになっている。第二横糸群５２ｃを構成する複数本の第二横糸５２２ｂも第一横糸５２２ａの糸径ａの１．２倍程度大きい糸径ｂで形成され、且つピッチＡの間隔で張設されており、第一横糸５２２ａ同士の隙間よりは小さいが、第二横糸５２２ｂ同士の隙間では通風抵抗が少ない状態で空気が流通することができるようになっている。
【００２９】
また、第一縦糸５２１ａと第二縦糸５２１ｂ及び第一横糸５２２ａと第二横糸５２２ｂは、溶着により接合されるようになっており、これにより網体５２の強度を高めるようになっている。
【００３０】
糸径ａの１．２倍程度大きい糸径ｂで形成された複数本の第二縦糸５２１ｂからなる第二縦糸群５２ｂと、糸径ａの１．２倍程度大きい糸径ｂで形成された複数本の第二横糸５２２ｂからなる第二横糸群５２ｃとが網体５２に設けられることにより枠体５１の強度が補強されるようになっている。図５の従来例のフィルタ２０で説明したように、縦リブ２０ｂ及び横リブ２０ｃの代りに、上記した第二縦糸群５２ｂと、第二横糸群５２ｃとを設けるので、フィルタ５は強度を維持することができるようになっている。
【００３１】
また、複数の第二縦糸群５２ｂと、複数の第二縦糸５２１ｂには、通風抵抗が少ない状態で空気が流通できる隙間が形成されていることにより、縦リブ及び横リブを設けた場合に比較して、通風抵抗を充分低減することができるようになっており、空気調和機の送風効率を改善するとともに、通風抵抗による騒音発生を抑制することができるようになっている。
【００３２】
尚、上記した例では、網体５２に複数の第二縦糸群５２ｂと複数の第二横糸群５２ｃを設けているが、これに限定されるものではなく、第二縦糸群５２ｂと第二横糸群５２ｃのいずれかを設ける構成でもよく、また、第二縦糸群５２ｂと第二横糸群５２ｃとは少なくとも一つ設ける構成でもよい。また、第一縦糸５２１ａと第一横糸５２２ａとは糸径ａで形成され、第二縦糸５２１ｂと第二横糸５２２ｂとは糸径ｂで形成されているが、これに限定されるものではなく、第一縦糸５２１ａと第一横糸５２２ａの糸径を異ならせてもよく、第二縦糸５２１ｂと第二横糸５２２ｂの糸径を異ならせてもよい。尚、第一縦糸５２１ａと第二縦糸５２１ｂのピッチは変えてもよく、第一横糸５２２ａと第二横糸５２２ｂのピッチも変えてよい。
【実施例２】
【００３３】
次に、第二実施例について説明する。第二実施例におけるフィルタ１２は、図４（Ａ）に示すように、枠体１２１内に一本の縦リブ１２１１と一本の横リブ１２１２とを設けており、枠体１２１内に張設された網体１２２は、縦リブ１２１１及び横リブ１２１２により４区画に分割されるようになっている。尚、縦リブ１２１１及び横リブ１２１２の本数と区画数は、これに限定されるものではなく、縦リブ１２１１及び横リブ１２１２の本数を２本以上として、９区画以上に分割してもよく、縦リブ１２１１及び横リブ１２１２のどちらかを１本として２区画に分割してもよい。
【００３４】
網体１２２の構成は図４（Ａ）のＡ部を示す図４（Ｂ）のように、第一横糸１２２２ａは糸径ａで形成され、且つピッチＡの間隔で張設されている。複数本の第二横糸１２２２ｂは、糸径ａの１．２倍程度大きい糸径ｂで形成されており、第一横糸１２２２ａと同様にピッチＡの間隔で張設されている。複数本の第二縦糸１２２２ｂは、図示はしていないが、第一縦糸１２２２ａの糸径ａより１．２倍程度大きい糸径ｂで形成されており、且つピッチＡの間隔で張設されている。
【００３５】
また、第一横糸１２２２ａと第一縦糸１２２１ａ及び第二横糸１２２２ｂと第二縦糸１２２１ｂは、溶着により接合されるようになっており、これにより網体５２の強度を高めるようになっている。
【００３６】
縦リブ１２１１及び横リブ１２１２により区画された網体１２２の１区画内に複数本の隣り合う第二横糸１２２２ｂからなる第二横糸群１２２ｃを設け、複数本の隣り合う第二縦糸１２２２ｂとからなる第二縦糸群１２２ｂを設けることにより、縦リブ１２１１及び横リブ１２１２の本数を最小限にすることができ、これにより網体１２２の開口面積が増加しフィルタ５の通風抵抗を低減させることができるようになっている。また、縦リブ１２１１及び横リブ１２１２の本数が最小限であることにより、空気の乱れが減少し、騒音発生を抑制させるようになっている。
【００３７】
尚、上記した例では、網体５２に複数の第二縦糸群１２２ｂと複数の第二横糸群１２２ｃを設けているが、これに限定されるものではなく、第二縦糸群５２ｂと第二横糸群５２ｃのいずれかを設ける構成でもよく、また、第二縦糸群５２ｂと第二横糸群５２ｃとは少なくとも一つ設ける構成でもよい。また、縦リブ１２１１及び横リブ１２１２により区画された部位の一箇所に第二縦糸群１２２ｂと第二横糸群１２２のいずれか一方を設ける構成でもよい。また、第一縦糸１２２１ａと第一横糸１２２２ａとは糸径ａで形成され、第二縦糸１２２１ｂと、と第二横糸１２２２ｂとは糸径ｂで形成されているが、これに限定されるものではなく、第一縦糸１２２１ａと第一横糸１２２２ａの糸径を異ならせてもよく、第二縦糸１２２１ｂと第二横糸１２２２ｂの糸径を異ならせてもよい。また、第一横糸１２２２ａと第二横糸１２２２ｂのピッチは変えてもよく、第一縦糸１２２１ａと第二縦糸１２２１ｂのピッチも変えてよい。
【符号の説明】
【００３８】
１  空気調和機
２  前面吸込口
３  上面吸込口
４  吹出口
５  フィルタ
５１  枠体
５２  網体
５２ａ  網体部
５２ｂ  第二縦糸群
５２ｃ  第二横糸群
５２１ａ  第一縦糸
５２１ｂ  第二縦糸
５２２ａ  第一横糸
５２２ｂ  第二横糸
６  熱交換器
６ａ  前方上部熱交換器
６ｂ  前方下部熱交換器
６ｃ  後方上部熱交換器
７  送風ファン
８  左右風向板
９  上下風向板
１０  前部露受皿
１１  後部露受皿
１２  フィルタ
１２１  枠体
１２１１  縦リブ
１２１２  横リブ
１２２  網体
１２２ａ  網体部
１２２ｂ  第二縦糸群
１２２ｃ  第二横糸群
１２２１ａ  第一縦糸
１２２１ｂ  第二縦糸
１２２２ａ  第一横糸
１２２２ｂ  第二横糸
【図１】
2012077926.tif 000003
【図２】
2012077926.tif 000004
【図３】
2012077926.tif 000005
【図４】
2012077926.tif 000006
【図５】
2012077926.tif 000007